(57)【要約】【課題】足場支柱への連結をより確実かつ安全に行うことができ、しかも作業性が高く極めて容易に実施することができる仮設足場用筋交いを提供する。【解決手段】足場支柱の間に傾斜して配設される斜行材と、斜行材の両端部に設けられて支柱に配備されたくさび受けに対して取り外し可能に係着される上側連結部材及び下側連結部材とからなり、各連結部材は、くさび受けの穴部に抜き差し自在に係着するくさび部と、２つの板状部材からなる本体部材と、ガイド部に沿って横方向に進退可能な可動くさび部材とを有するとともに、斜行材は、上側連結部材にあってはその本体部材の下側部分に固着され、下側連結部材にあってはその本体部材の上側部分に固着され、かつ、可動くさび部材は、上側連結部材にあってはその後部にハンマー打ち込み用の下向き突部が形成され、下側連結部材にあってはその後部にハンマー打ち込み用の上向き突部が形成されている。【選択図】図１
2008075305.tif 000002
【特許請求の範囲】
【請求項１】
足場支柱の間に傾斜して配設される斜行材と、前記斜行材の両端部に設けられて前記支柱に配備されたくさび受けに対して取り外し可能に係着される上側連結部材及び下側連結部材とからなる仮設足場用筋交いにおいて、
前記上側連結部材及び下側連結部材は、
前記斜行材の各端部に設けられくさび受けの穴部に上方から抜き差し自在に係着するくさび部と、２つの板状部材からなる本体部材と、前記本体部材の２つの板状部材の間に形成されたガイド部に沿って横方向に進退可能に設けられ、安全固定時には前記くさび受けの下部に前進され固定解除時には前記くさび受けの下部から後退される可動くさび部材とを有するとともに、
前記斜行材は、上側連結部材にあってはその本体部材の下側部分に固着され、下側連結部材にあってはその本体部材の上側部分に固着され、かつ、
前記可動くさび部材は、上側連結部材にあってはその後部にハンマー打ち込み用の上向き突部が形成され、下側連結部材にあってはその後部にハンマー打ち込み用の下向き突部が形成されている
ことを特徴とする仮設足場用筋交い。
【請求項２】
前記可動くさび部材に前記本体部材のピン部と係着する突部からなる脱落防止部が設けられた請求項１に記載の仮設足場用筋交い。
【発明の詳細な説明】
【技術分野】
【０００１】
この発明は、仮設足場用筋交いに関する。
【背景技術】
【０００２】
一般に、建築物の工事等を行う際には、その外周に仮設足場が設置されるものであって、複数本の支柱を所定間隔で配置し、前記各支柱間に足場板を架設させて一の階層の足場を形成し、上方に支柱を順次継ぎ足して同様に足場板を架設させることにより複数階層の足場を形成してなる。このような仮設足場にあっては、上方への足場の継ぎ足し作業をする際の安全対策として、足場板を架設させる前に斜行材若しくは水平材若しくは垂直材等の足場材を手すりとして先行して配置するように構成される。
【０００３】
上記の如く、足場材を配置する場合において、前記足場材を支柱のホルダーに取り外し可能に連結するための連結部材が使用された筋交いあるいは先行筋交い手摺り等が知られている（例えば、特許文献１参照）。この先行筋交い手摺りは、支柱の対角位置にあるホルダーの間に斜めに筋交いが架設さるものであって、取付作業を容易に行えるように、対角位置にある上位ホルダーにおいては係止フックにより掛止され、下位ホルダーでは係止金具のピンにより螺着固定されている。さらに、支柱に対するホルダーの固定位置や筋交い材、水平材、垂直材等の足場材自体の寸法誤差に対応するために、前記係止金具を筋交いに対して傾斜長孔で上下可動とすることにより、支柱のホルダーに関する寸法誤差が吸収されるように構成されている。
【０００４】
しかしながら、このような先行筋交い手摺りは上下方向から負荷がかかるため、係止フックが上位ホルダーより外れたり、螺着された係止金具が緩んだりする等のおそれがあり、安全性に問題があった。
【特許文献１】特開２００２−７０３０４号公報
【発明の開示】
【発明が解決しようとする課題】
【０００５】
この発明は前記の点に鑑みなされたものであり、支柱に設けられたくさび受けの位置や斜行材に多少の寸法誤差があるような場合であっても、足場支柱への連結をより確実かつ安全に行うことができ、しかも作業性が高く極めて容易に実施することができる仮設足場用筋交いを提供するものである。
【課題を解決するための手段】
【０００６】
すなわち、請求項１の発明は、足場支柱の間に傾斜して配設される斜行材と、前記斜行材の両端部に設けられて前記支柱に配備されたくさび受けに対して取り外し可能に係着される上側連結部材及び下側連結部材とからなる仮設足場用筋交いにおいて、  前記上側連結部材及び下側連結部材は、前記斜行材の各端部に設けられくさび受けの穴部に上方から抜き差し自在に係着するくさび部と、２つの板状部材からなる本体部材と、前記本体部材の２つの板状部材の間に形成されたガイド部に沿って横方向に進退可能に設けられ、安全固定時には前記くさび受けの下部に前進され固定解除時には前記くさび受けの下部から後退される可動くさび部材とを有するとともに、前記斜行材は、上側連結部材にあってはその本体部材の下側部分に固着され、下側連結部材にあってはその本体部材の上側部分に固着され、かつ、前記可動くさび部材は、上側連結部材にあってはその後部にハンマー打ち込み用の上向き突部が形成され、下側連結部材にあってはその後部にハンマー打ち込み用の下向き突部が形成されていることを特徴とする仮設足場用筋交いに係る。
【０００７】
請求項２の発明は、前記可動くさび部材に前記本体部材のピン部と係着する突部からなる脱落防止部が設けられた請求項１に記載の仮設足場用筋交いに係る。
【発明の効果】
【０００８】
請求項１の発明に係る仮設足場用筋交いによれば、足場支柱の間に傾斜して配設される斜行材と、前記斜行材の両端部に設けられて前記支柱に配備されたくさび受けに対して取り外し可能に係着される上側連結部材及び下側連結部材とからなる仮設足場用筋交いにおいて、前記上側連結部材及び下側連結部材は、前記斜行材の各端部に設けられくさび受けの穴部に上方から抜き差し自在に係着するくさび部と、２つの板状部材からなる本体部材と、前記本体部材の２つの板状部材の間に形成されたガイド部に沿って横方向に進退可能に設けられ、安全固定時には前記くさび受けの下部に前進され固定解除時には前記くさび受けの下部から後退される可動くさび部材とを有するとともに、前記斜行材は、上側連結部材にあってはその本体部材の下側部分に固着され、下側連結部材にあってはその本体部材の上側部分に固着され、かつ、前記可動くさび部材は、上側連結部材にあってはその後部にハンマー打ち込み用の上向き突部が形成され、下側連結部材にあってはその後部にハンマー打ち込み用の下向き突部が形成されているため、足場支柱への連結をより安全かつ確実に行うことができ、しかも極めて容易に実施することがでる。また、ハンマー打ち込み等のための作業スペースを十分に確保できるため作業性が高い。
【０００９】
請求項２の発明によれば、請求項１において、前記可動くさび部材に前記本体部材のピン部と係着する突部からなる脱落防止部が設けられたため、足場支柱への連結をより安全かつ確実に行うことができ、しかも極めて容易に実施することができる。
【発明を実施するための最良の形態】
【００１０】
以下添付の図面に従ってこの発明を詳細に説明する。
図１はこの発明の仮設足場用筋交いの実施例を示す正面図、図２は図１の実施例の上側連結部材の要部で、支柱への取付前の状態を表した概略側面図、図３は図２の上側連結部材が支柱に取り付けられた状態を表した概略側面図、図４は図１の実施例の下側連結部材の要部で、支柱への取付前の状態を表した概略側面図、図５は図４の下側連結部材が支柱に取り付けられた状態を表した概略側面図である。
【００１１】
この発明の仮設足場用筋交い１０は、図１ないし図５に示し、請求項１の発明として規定したように、足場支柱Ｐ１，Ｐ２の間に傾斜して配設される斜行材１１と、前記斜行材１１の両端部１１ａ，１１ｂに設けられて前記支柱Ｐ１，Ｐ２に配備されたくさび受けＱ１，Ｑ２に対して取り外し可能に係着される上側連結部材２０及び下側連結部材６０とからなる仮設足場用筋交い１０において、前記上側連結部材２０及び下側連結部材６０は、前記斜行材の各端部１１ａ，１１ｂに設けられくさび受けＱ１，Ｑ２の穴部に上方から抜き差し自在に係着するくさび部３０，７０と、２つの板状部材からなる本体部材４０，８０と、前記本体部材の２つの板状部材の間に形成されたガイド部に沿って横方向に進退可能に設けられ、安全固定時には前記くさび受けの下部に前進され固定解除時には前記くさび受けの下部から後退される可動くさび部材５０，９０とを有するとともに、前記斜行材１１は、上側連結部材２０にあってはその本体部材４０の下側部分４３に固着され、下側連結部材６０にあってはその本体部材８０の上側部分８４に固着され、かつ、前記可動くさび部材５０，９０は、上側連結部材２０にあってはその後部５５にハンマー打ち込み用の上向き突部５６が形成され、下側連結部材６０にあってはその後部９５にハンマー打ち込み用の下向き突部９７が形成されている。
【００１２】
斜行材１１は、図１の実施例において、足場支柱Ｐ１，Ｐ２の間に傾斜して配設され、斜行材１１の上端部１１ａは、上側連結部材２０によって足場支柱Ｐ１に配備されたくさび受けＱ１に、そして下端部１１ｂは、下側連結部材６０により足場支柱Ｐ２に設けられたくさび受けＱ２に対して取り外し可能に係着される。この上側連結部材２０は、図２及び図３より理解されるように、くさび部３０、本体部材４０、可動くさび部材５０より構成される。また、下側連結部材６０は、図４及び図５に示されるように、くさび部７０，本体部材８０、可動くさび部材９０より形成される。
【００１３】
まず、各連結部材２０，６０におけるくさび部３０，７０は、図２ないし図４から理解されるように、斜行材１１の各端部１１ａ，１１ｂに設けられ、足場支柱Ｐ１，Ｐ２のくさび受けＱ１，Ｑ２の穴部５，６に上方から抜き差し自在に係着される。実施例では、くさび部３０，７０の下部３３，７３は、溶接により本体部材４０，８０に固着され一体に形成される。
【００１４】
本体部材４０，８０は、２つの板状部材４１，４２（８１，８２）からなる。また、この本体部材４０，８０の２つの板状部材４１，４２（８１，８２）の間に固着されるリベットであるピン部４６，８６、本体部材４０，８０の下端部に設けられるガイド部４７，８７、及び前記ガイド部４７，８７の上方でリベット４６，８６とその下部が略同一の高さになるようにガイド部４８，８８が設けられ、これらピン部４６，８８及びガイド部４７，４８，８７，８８が後述の可動くさび部材５０，９０のガイド部として構成される。
【００１５】
可動くさび部材５０，９０は、本体部材４０，８０の２つの板状部材４１，４２（８１，８２）の間に形成されたガイド部４６，４７，４８（８６，８７，８８）に沿って横方向に進退可能に設けられ、安全固定時には前記くさび受けＱ１，Ｑ２の下部に前進され固定解除時には前記くさび受けＱ１，Ｑ２の下部から後退される。実施例の可動くさび部材５０，９０は、ガイド部であるリベット４６，８６及びガイド部４７，４８，８７，８８によって前後方向に進退可能に狭持されることにより、横方向への直動が可能に構成されている。そして、請求項２の発明として規定するように、可動くさび部材５０，９０には、前記本体部材４０，８０のピン部４６，８６と係着する突部からなる脱落防止部５３，９３が設けられていて、後方に直動させた際に前記脱落防止部５３，９３が本体部材４０，８０のリベットであるピン部４６，８６に係止されて脱落しないように構成される。なお、この可動くさび部材５０，９０は、前部５２，９２がくさび状に構成された棒状部材５１，９１からなる。
【００１６】
次に、上側連結部材２０にあっては、図２及び図３に示されるように、斜行材１１の上端部１１ａが本体部材４０の下側部分４３に固着され、かつ、可動くさび部材５０の後部５５にハンマー打ち込み用の上向き突部５６が構成される。このように構成されることで、可動くさび部材５０のハンマー打ち込み等の作業スペースが十分に確保でき、作業性が向上する。実施例では、図２及び図３に示されるように、斜行材の上端部１１ａが本体部材４０の下側部分４３に溶接によって固着されている。
【００１７】
一方、下側連結部材６０においては、図４及び図５から理解されるように、上記と同様に連結部材の取付及び取り外し作業がしやすいように、斜行材１１の下端部１１ｂが本体部材８０の上側部分８４に固着され、かつ、可動くさび部材９０の後部９５にハンマー打ち込み用の下向き突部９７が形成される。図４及び図５の実施例では、斜行材１１の下端部１１ｂがくさび部７０の後部７２に溶接により固着されることにより、本体部材の上側部分８４に一体に形成されている。
【００１８】
続いて、当該仮設足場用筋交い１０の足場支柱Ｐ１，Ｐ２への連結方法について図２ないし図５を用いて説明する。連結前において、上側連結部材２０及び下側連結部材６０は、図２及び図４に示されるように、可動くさび部材５０，９０が後退して脱落防止部５３，９３が本体部材４０，８０のリベット４６，８６に係止された状態である。
【００１９】
まず、図２から理解されるように、上側連結部材２０において、くさび部３０の突部３１を足場支柱Ｐ１の上側くさび受けＱ１の穴部５に上方から差し込むことにより、当該足場用仮設筋交い１０の足場支柱Ｐ１への連結が開始される。
【００２０】
次いで、図３に示すように、可動くさび部材５０をガイド部４６，４７，４８に沿って前進させて、該可動くさび部材５０の後部５５に形成された上向き突部５６を後側から前側に向かってハンマー等を用いて打ち込むことにより、前記可動くさび部材５０の前部５２が上側くさび受けＱ１下部に係着して、前記上側くさび受けＱ１下部及び３つのガイド部４６，４７，４８によって係合される。くさび部３０と可動くさび部材５０とによって、上側くさび受けＱ１が上下から把持されて安全固定され、上側連結部材２０による足場用仮設筋交い１０の足場支柱Ｐ１への連結が完了する。
【００２１】
次に、下側連結部材６０において、図４から理解されるように、くさび部７０の突部７１が足場支柱Ｐ２の下側くさび受けＱ２の穴部６に上方から差し込まれる。続いて、図５に示すように、可動くさび部材９０をガイド部８６，８７，８８に沿って前進させて、該可動くさび部材９０の後部９５に形成された下向き突部９７を後側から前側に向かってハンマー等を用いて打ち込まれる。前部９２が下側くさび受けＱ２下部に係着して、上側連結部材２０の場合と同様、Ｑ２が上下から把持されて安全固定され、上側連結部材６０による足場用仮設筋交い１０の足場支柱Ｐ２への連結が完了する。なお、仮設足場用筋交い１０の足場支柱Ｐ１，Ｐ２への連結は、斜行材の有する寸法誤差や、足場支柱に設けられたくさび受けの位置のズレによるがたつきや遊びを解消して斜行材が緊張状態となるように確実に行われる。
【００２２】
また、仮設足場用筋交い１０の上側連結部材２０及び下側連結部材６０を足場支柱Ｐ１，Ｐ２から取り外す場合は、図３及び図５に示すように、可動くさび部材５０，９０のハンマー打ち込み用突部５６，９７を前側から後側に向かってハンマー等を用いて打ち込んで、前記可動くさび部材５０，９０の前部を足場支柱Ｐ１，Ｐ２の上側くさび受けＱ１，Ｑ２下部から後退させて固定解除し（図２，図４参照）、続いて、くさび部３０，７０の突部３１，７１をくさび受けＱ１，Ｑ２の上穴部５，６から抜去させることで当該仮設足場用筋交い１０の足場支柱Ｐ１，Ｐ２からの取り外しが完了する。このような各連結部材の足場支柱への連結及び取り外しにおいては、ハンマー打ち込み作業のためのスペースが十分に確保されており、極めて容易に作業を行うことができる。
【００２３】
なお、本発明の仮設足場用筋交いは、前述の実施例のみに限定されるものではなく、足場支柱の間に傾斜される２本の斜行材から構成されたり、斜行材に水平手摺り材が配置される構成とされてもよく、発明の趣旨を逸脱しない範囲において構成の一部を適宜に変更して実施することができる。
【図面の簡単な説明】
【００２４】
【図１】この発明の仮設足場用筋交いの実施例を示す正面図である。
【図２】図１の実施例の上側連結部材の要部で、支柱への取付前の状態を表した概略側面図である。
【図３】図２の上側連結部材が支柱に取り付けられた状態を表した概略側面図である。
【図４】図１の実施例の下側連結部材の要部で、支柱への取付前の状態を表した概略側面図である。
【図５】図４の下側連結部材が支柱に取り付けられた状態を表した概略側面図である。
【符号の説明】
【００２５】
１０  仮設足場用筋交い
１１  斜行材
１１ａ，１１ｂ  端部
２０  上側連結部材
３０，７０  くさび部
４０，８０  本体部材
５０，９０  可動くさび部材
５３，９３  脱落防止部
５４，９４  ハンマー打ち込み用突部
６０  下側連結部材
Ｐ１，Ｐ２  足場支柱
Ｑ１，Ｑ２  くさび受け
【図１】
2008075305.tif 000003
【図２】
2008075305.tif 000004
【図３】
2008075305.tif 000005
【図４】
2008075305.tif 000006
【図５】
2008075305.tif 000007